(57)【要約】【課題】盗撮を抑制する。【解決手段】ＣＣＤカメラ２２により撮影された画像を基に、被写体の画像が人間の顔の画像か否かが判定される。人間の顔の画像である場合、視線が検知され、予め設定されている基準時間以上、視線が固定されていなければ、撮影画像の記録が禁止される。撮影されている画像が人間の顔の画像ではない場合、撮影角度９１が検出され、予め設定されている撮影禁止角度１２０の時、撮影画像の記録が禁止される。本発明は、カメラ付デジタル携帯電話機に適用できる。【選択図】      図５
2004336508.tif 000002
【特許請求の範囲】
【請求項１】
被写体を撮影する撮影手段と、
前記撮影手段により撮影して得られた画像に基づいて、前記画像の記録を禁止するか否かを判定する判定手段と、
前記判定手段による判定に基づいて、前記画像の記録を禁止する禁止手段と
を備えることを特徴とする携帯情報処理装置。
【請求項２】
前記判定手段は、前記撮影手段により撮影して得られた画像が人間の顔か否かを判定し、
前記画像が人間の顔であった場合、視線を検知する検知手段と、
前記画像が人間の顔ではなかった場合、撮影方向の角度を検出する検出手段と
をさらに備えることを特徴とする請求項１に記載の携帯情報処理装置。
【請求項３】
前記検知手段により検知された視線が、予め設定されている基準時間以上固定されていない場合、前記禁止手段は、記録を禁止する
ことを特徴とする請求項２に記載の携帯情報処理装置。
【請求項４】
前記検出手段は、前記携帯情報処理装置の重力方向に対する前記撮影手段の撮影方向の角度を検出し、
前記検出手段により検出された前記角度が、予め設定されている基準の角度である場合、前記禁止手段は、記録を禁止する
ことを特徴とする請求項２に記載の携帯情報処理装置。
【請求項５】
携帯情報処理装置の撮影制御方法において、
被写体を撮影して得られる画像を入力する入力ステップと、
前記入力ステップの処理により入力して得られた画像に基づいて、前記画像の記録を禁止するか否かを判定する判定ステップと、
前記判定ステップの処理による判定に基づいて、前記画像の記録を禁止する禁止ステップと
を含むことを特徴とする撮影制御方法。
【請求項６】
携帯情報処理装置の撮影を制御するコンピュータのプログラムにおいて、
被写体を撮影して得られる画像を入力する入力ステップと、
前記入力ステップの処理により入力して得られた画像に基づいて、前記画像の記録を禁止するか否かを判定する判定ステップと、
前記判定ステップの処理による判定に基づいて、前記画像の記録を禁止する禁止ステップと
を含むことを特徴とするプログラム。
【請求項７】
携帯情報処理装置の撮影を制御するコンピュータのプログラムにおいて、
被写体を撮影して得られる画像を入力する入力ステップと、
前記入力ステップの処理により入力して得られた画像に基づいて、前記画像の記録を禁止するか否かを判定する判定ステップと、
前記判定ステップの処理による判定に基づいて、前記画像の記録を禁止する禁止ステップと
を含むことを特徴とするコンピュータが読み取り可能なプログラムが記録されていることを特徴とする記録媒体。
【発明の詳細な説明】
【０００１】
【発明の属する技術分野】
本発明は、携帯情報処理装置および撮影制御方法、プログラム、並びに記録媒体に関し、特に盗撮行為を防止することができるようにした携帯情報処理装置および撮影制御方法、プログラム、並びに記録媒体に関する。
【０００２】
【従来の技術】
近年、携帯電話機が普及してきている。特に本体の小型化、高機能化や携帯性の向上は著しく、カメラ機能を有するものも登場してきた。
【０００３】
しかし、このようなカメラ付デジタル携帯電話機の普及に伴い、一般的な撮影利用方法の他に、被写体本人を、その許可無く写真を撮影する者、いわゆる盗撮を目的として利用する者が現れてきた。
【０００４】
盗撮者の中には、画像を本人の同意なしにインターネット上に公開するものも現れ、社会問題になっている。
【０００５】
このような盗撮防止のために、例えば、撮影時に撮影音を鳴らし、撮影をしていることを周囲に認識させることで盗撮を防止することが知られている。
【０００６】
また、折り畳み式のカメラ付デジタル携帯電話機の場合、閉じた状態のとき、開いたときの半分の大きさになる。即ち、より小型化し、盗撮をしやすい状態となるので、開いた状態のときのみ撮影可能とすることで、盗撮を回避することも提案されている（例えば、特許文献１）。
【０００７】
さらに、被写体に盗撮防止情報発生装置を身につけさせ、カメラ付デジタル携帯電話機は、盗撮防止情報発生装置からの盗撮防止信号を検知したとき、電源をオフにさせるようにすることも提案されている（例えば、特許文献２）。
【０００８】
【特許文献１】
特開２００２−３０５５６５号公報
【特許文献２】
特開２００１−１６９１７５号公報
【０００９】
【発明が解決しようとする課題】
しかしながら、盗撮の多くが、ラッシュ時の駅ホームや電車の中、雑踏の中で行われている現状を考えれば、例え撮影音が鳴っても周囲の者がその音に気が付かないおそれがある。
【００１０】
また、動画も撮れる現在では、動画撮影の最初と最後だけ音が鳴るだけで、撮影中は無音とすると、被写体は撮影中に盗撮に気付くことができない。
【００１１】
さらに、被写体に盗撮防止情報発生装置を身につけさせる場合、盗撮防止のために被写体に負荷をかけることになり、被写体にとっては極めて不便である。
【００１２】
本発明は、このような状況に鑑みてなされたものであり、被写体に負荷をかけずに、盗撮を尚更かつ確実に抑制することができるようにするものである。
【００１３】
【課題を解決するための手段】
本発明の携帯情報処理装置は、被写体を撮影する撮影手段と、撮影手段により撮影して得られた画像に基づいて、画像の記録を禁止するか否かを判定する判定手段と、判定手段による判定に基づいて、画像の記録を禁止する禁止手段とを備えることを特徴とする。
【００１４】
判定手段は、撮影手段により撮影して得られた画像が人間の顔か否かを判定し、画像が人間の顔であった場合、視線を検知する検知手段と、画像が人間の顔ではなかった場合、撮影方向の角度を検出する検出手段とをさらに設けることができる。
【００１５】
検知手段により検知された視線が、予め設定されている基準時間以上固定されていない場合、禁止手段は、記録を禁止させるようにすることができる。
【００１６】
検出手段は、携帯情報処理装置の重力方向に対する撮影手段の撮影方向の角度を検出し、検出手段により検出された角度が、予め設定されている基準の角度である場合、禁止手段は、記録を禁止させるようにすることができる。
【００１７】
本発明の撮影制御方法は、被写体を撮影して得られる画像を入力する入力ステップと、入力ステップの処理により入力して得られた画像に基づいて、画像の記録を禁止するか否かを判定する判定ステップと、判定ステップの処理による判定に基づいて、画像の記録を禁止する禁止ステップとを含むことを特徴とする。
【００１８】
本発明のプログラムは、被写体を撮影して得られる画像を入力する入力ステップと、入力ステップの処理により入力して得られた画像に基づいて、画像の記録を禁止するか否かを判定する判定ステップと、判定ステップの処理による判定に基づいて、画像の記録を禁止する禁止ステップとを含むことを特徴とする。
【００１９】
本発明の記録媒体のプログラムは、被写体を撮影して得られる画像を入力する入力ステップと、入力ステップの処理により入力して得られた画像に基づいて、画像の記録を禁止するか否かを判定する判定ステップと、判定ステップの処理による判定に基づいて、画像の記録を禁止する禁止ステップと含むことを特徴とする。
【００２０】
本発明の携帯情報処理装置および撮影制御方法、プログラム、並びに記録媒体においては、被写体を撮影して得られた画像に基づいて、画像の記録を禁止するか否かが判定され、その判定に基づいて、画像の記録を禁止する禁止処理が行われる。
【００２１】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２２】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２３】
請求項１に記載の携帯情報処理装置（例えば、図１のカメラ付デジタル携帯電話機１）は、被写体を撮影する撮影手段（例えば、図１のＣＣＤカメラ２２）と、前記撮影手段により撮影して得られた画像に基づいて、前記画像の記録を禁止するか否かを判定する判定手段（例えば、図６の画像認識部１３１）と、前記判定手段による判定に基づいて、前記画像の記録を禁止する禁止手段（例えば、図７のステップＳ１０の処理を実行する図６のフラグ設定部１３８、及び図７のステップＳ１４の処理を実行する図６の記録部１４１）とを備えることを特徴とする。
【００２４】
請求項２に記載の携帯情報処理装置（例えば、図１のカメラ付デジタル携帯電話機１）の前記判定手段は、被写体が人間の顔か否かを判定し、人間の顔であった場合、視線を検知する検知手段（例えば、図６の視線検知部１３３）と、人間の顔ではなかった場合、撮影方向の角度を検出する検出手段（例えば、図６の撮影角度検出部１３６）とをさらに備えることを特徴とする。
【００２５】
請求項３に記載の携帯情報処理装置（例えば、図１のカメラ付デジタル携帯電話機１）の前記検知手段は、視線が予め設定されている基準時間以上（例えば、５秒間以上）固定されていない場合（例えば、図７のステップＳ５で、ＮＯと判定された場合）、前記禁止手段は、記録を禁止（例えば、図７のステップＳ１０で撮影禁止フラグを設定する）することを特徴とする。
【００２６】
請求項４に記載の携帯情報処理装置（例えば、図１のカメラ付デジタル携帯電話機１）の前記検出手段は、前記携帯情報処理装置の重力方向（例えば、図３の重力方向１００）に対する前記撮影手段の撮影方向（例えば、図３の撮影方向９０）の角度（例えば、図５の撮影角度９１）を検出し、前記検出手段により検出された前記角度が、予め設定されている基準の角度である場合（例えば、図５の撮影禁止角度１２０である場合）、前記禁止手段は、記録を禁止することを特徴とする。
【００２７】
請求項５に記載の撮影制御方法は、被写体を撮影して得られる画像を入力する入力ステップ（例えば、図７のステップＳ１）と、前記入力ステップの処理により入力して得られた画像に基づいて、前記画像の記録を禁止するか否かを判定する判定ステップ（例えば、図７のステップＳ３）と、前記判定ステップの処理による判定に基づいて、前記画像の記録を禁止する禁止ステップ（例えば、図７のステップＳ１０，Ｓ１４）とを含むことを特徴とする。
【００２８】
請求項６に記載のプログラムは、被写体を撮影して得られる画像を入力する入力ステップ（例えば、図７のステップＳ１）と、前記入力ステップの処理により入力して得られた画像に基づいて、前記画像の記録を禁止するか否かを判定する判定ステップ（例えば、図７のステップＳ３）と、前記判定ステップの処理による判定に基づいて、前記画像の記録を禁止する禁止ステップ（例えば、図７のステップＳ１０，Ｓ１４）とを含むことを特徴とする。
【００２９】
請求項７に記載の記録媒体のプログラムは、被写体を撮影して得られる画像を入力する入力ステップ（例えば、図７のステップＳ１）と、前記入力ステップにより入力して得られた画像に基づいて、前記画像の記録を禁止するか否かを判定する判定ステップ（例えば、図７のステップＳ３）と、前記判定ステップによる判定に基づいて、前記画像の記録を禁止する禁止ステップ（例えば、図７のステップＳ１０，Ｓ１４）とを含むことを特徴とする。
【００３０】
以下に、本発明の実施の形態について図面を参照して説明する。
【００３１】
図１は、本発明を適用したカメラ付デジタル携帯電話機１の外観の構成例を示す斜視図である。
【００３２】
カメラ付デジタル携帯電話機１は、中央のヒンジ部１３を境に表示部１２と本体１４に分けられており、ヒンジ部１３を介して、折り畳み可能に形成されている。
【００３３】
表示部１２においては、上端左部に、送受信用のアンテナ２１が引き出し及び収納可能な状態に取り付けられており、アンテナ２１を介して、基地局との間で電波が送受信される。
【００３４】
また、表示部１２には、上方中央部にスピーカ２３が設けられ、さらにその上方には、ほぼ１８０度の角度範囲で、回動自在なカメラ部１１が設けられている。カメラ部１１のＣＣＤ（Ｃｈａｒｇｅｄ  Ｃｏｕｐｌｅｄ  Ｄｅｖｉｃｅ）カメラ２２によって、所望の撮影対象が撮影し得るようになされる。
【００３５】
さらに、表示部１２には、その正面にＬＣＤ（Ｌｉｑｕｉｄ  Ｃｒｙｓｔａｌ  Ｄｉｓｐｌａｙ）２４が設けられており、ＬＣＤ２４は、電波の受信状態、電池残量、電話帳として登録されている相手先名、電話番号及び発信履歴等の他、電子メールの内容、簡易ホームページ、カメラ部１１のＣＣＤカメラ２２で撮影した画像、及び公衆回線網を介して、各種サーバ、携帯端末装置、デジタルカメラ、ビデオカメラまたは他の携帯電話機から送信された画像などを表示する。
【００３６】
一方、本体１４には、その表面に「０」乃至「９」の数字キー、発呼キー、リダイヤルキー、終話及び電源キー、クリアキー及び電子メールキー等の操作キー２６が設けられており、ユーザは、操作キー２６を用いて各種指示を入力する。
【００３７】
また本体１４には、操作キー２６の下部に、メモボタン２８とマイクロフォン２７が設けられている。メモボタン２８によって通話中の相手の音声を録音し得ると共に、マイクロフォン２７によって通話時のユーザの音声が集音される。
【００３８】
さらに、本体１４には、操作キー２６の上部に回転自在なジョグダイヤル２５が本体１４の表面から僅かに突出した状態で設けられており、ジョグダイヤル２５に対する回動操作に応じてＬＣＤ２４に表示されている電話帳リスト、電子メールのスクロール動作、簡易ホームページのページ捲り動作及び画像の送り動作等の種々の動作が実行される。
【００３９】
例えば本体１４は、ユーザによるジョグダイヤル２５の回動操作に応じてＬＣＤ２４に表示された電話帳リストの複数の電話番号の中から所望の電話番号が選択され、ジョグダイヤル２５が本体１４の内部方向に押圧されると、選択された電話番号を確定して電話番号に対して自動的に発呼処理を行う。
【００４０】
なお本体１４は、背面側に図示しないバッテリパックが挿着されており、終話及び電源キーがオン状態になると、バッテリパックから各回路部に対して電力が供給されて動作可能な状態に起動する。
【００４１】
ところで、本体１４の左側面上部に抜差自在なメモリスティック（ソニー株式会社の商標）１５を装着するためのメモリスティックスロット２９が設けられている。カメラ付デジタル携帯電話機１は、メモボタン２８が押下されると、通話中の相手の音声を装着されているメモリスティック１５に記録する。カメラ付デジタル携帯電話機１は、使用者の操作に応じて、電子メール、簡易ホームページ、ＣＣＤカメラ２２で撮影した画像、または音声などのコンテンツを装着されているメモリスティック１５に記録する。
【００４２】
メモリスティック１５は、本願出願人の関係会社であるソニー株式会社によって開発されたフラッシュメモリスティックの１種である。このメモリスティック１５は、縦２１．５×横４８×厚さ２．８［ｍｍ］の小型薄型形状のプラスチックケース内に電気的に書換えや消去が可能な不揮発性メモリであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）の１種であるフラッシュメモリ素子を格納したものであり、１０ピン端子を介して画像や音声、音声等の各種データの書き込み及び読み出しが可能となっている。
【００４３】
また、メモリスティック１５は、大容量化等による内蔵フラッシュメモリの仕様変更に対しても、使用する機器で互換性を確保することができる独自のシリアルプロトコルを採用し、最大書込速度１．５［ＭＢ／Ｓ］、最大読出速度２．４５［ＭＢ／Ｓ］の高速性能を実現していると共に、誤消去防止スイッチを設けて高い信頼性を確保している。
【００４４】
従って、カメラ付デジタル携帯電話機１は、このようなメモリスティック１５を装着可能に構成されているために、メモリスティック１５を介して、他の電子機器との間でデータの共有化を図ることができる。
【００４５】
図２は、図１のカメラ付デジタル携帯電話機１の内部の構成例を示すブロック図である。
【００４６】
カメラ付デジタル携帯電話機１においては、表示部１２及び本体１４の各部を統括的に制御する主制御部４２に対して、電源回路部４１、操作入力制御部４３、画像エンコーダ４４、カメラインターフェース部４５、記憶部４６、ＬＣＤ制御部４７、ブルートゥース通信部４８、傾きセンサ制御部４９、画像デコーダ６１、多重分離部６２、変復調回路部６４、及び音声コーデック６７が、メインバス４０を介して互いに接続されている。また、画像エンコーダ４４、画像デコーダ６１、多重分離部６２、記録再生部６３、変復調回路部６４、及び音声コーデック６７が同期バス６０を介して互いに接続されて構成されている。
【００４７】
電源回路部４１は、ユーザの操作により終話及び電源キーがオン状態にされると、内蔵するバッテリパックから各部に対して電力を供給することにより、カメラ付デジタル携帯電話機１を動作可能な状態に起動する。
【００４８】
主制御部４２は、ＣＰＵ，ＲＯＭ、及びＲＡＭ等を内臓する。ＣＰＵは、ＲＯＭに記憶されているプログラム、または記憶部４６からＲＡＭにロードされたプログラムに従って各種の処理を実行する。ＲＡＭにはまた、ＣＰＵが各種の処理を実行する上において必要なデータなども適宜記憶される。
【００４９】
カメラ付デジタル携帯電話機１は、主制御部４２の制御に基づいて、音声通話モード時に、マイクロフォン２７で集音した音声信号を音声コーデック６７によってデジタル音声データに変換し、これを変復調回路部６４でスペクトラム拡散処理し、送受信回路部６５でデジタルアナログ変換処理及び周波数変換処理を施した後に、アンテナ２１を介して送信する。
【００５０】
また、カメラ付デジタル携帯電話機１は、音声通話モード時に、アンテナ２１で受信した受信信号を増幅して周波数変換処理及びアナログデジタル変換処理を施し、変復調回路部６４でスペクトラム逆拡散処理し、音声コーデック６７によってアナログ音声信号に変換した後、これをスピーカ２３を介して出力する。
【００５１】
さらに、カメラ付デジタル携帯電話機１は、データ通信モード時に、電子メールを送信する場合、操作キー２６及びジョグダイヤル２５の操作によって入力された電子メールのテキストデータを、操作入力制御部４３を介して主制御部４２に送出する。
【００５２】
主制御部４２は、テキストデータを変復調回路部６４でスペクトラム拡散処理し、送受信回路部６５でデジタルアナログ変換処理及び周波数変換処理を施した後に、アンテナ２１を介して基地局へ送信する。
【００５３】
これに対してカメラ付デジタル携帯電話機１は、データ通信モード時に電子メールを受信する場合、アンテナ２１を介して基地局から受信した受信信号を、変復調回路部６４でスペクトラム逆拡散処理して元のテキストデータを復元した後、ＬＣＤ制御部４７を介してＬＣＤ２４に電子メールとして表示する。
【００５４】
この後、カメラ付デジタル携帯電話機１は、ユーザの操作に応じて受信した電子メールを、記録再生部６３を介してメモリスティック１５に記録することも可能である。
【００５５】
一方、カメラ付デジタル携帯電話機１は、データ通信モード時に画像データを送信する場合、ＣＣＤカメラ２２で撮影された画像データを、カメラインターフェース部４５を介して、画像エンコーダ４４に供給する。
【００５６】
カメラ付デジタル携帯電話機１は、画像データを送信しない場合には、ＣＣＤカメラ２２で撮影した画像データを、カメラインターフェース部４５及びＬＣＤ制御部４７を介して、ＬＣＤ２４に直接表示する。
【００５７】
画像エンコーダ４４は、ＣＣＤカメラ２２から供給された画像データを、例えばＭＰＥＧ（Ｍｏｖｉｎｇ  Ｐｉｃｔｕｒｅ  Ｅｘｐｅｒｔｓ  Ｇｒｏｕｐ）２やＭＰＥＧ４等の所定の符号化方式によって圧縮符号化することにより符号化画像データに変換し、これを多重分離部６２に送出する。
【００５８】
このとき同時にカメラ付デジタル携帯電話機１は、ＣＣＤカメラ２２で撮影中にマイクロフォン２７で集音した音声を、音声コーデック６７を介して、デジタルの音声データとして多重分離部６２に送出する。
【００５９】
多重分離部６２は、画像エンコーダ４４から供給された符号化画像データと、音声コーデック６７から供給された音声データとを所定の方式で多重化し、その結果得られる多重化データを変復調回路部６４でスペクトラム拡散処理し、送受信回路部６５でデジタルアナログ変換処理及び周波数変換処理を施した後に、アンテナ２１を介して送信する。
【００６０】
これに対してカメラ付デジタル携帯電話機１は、データ通信モード時に、例えば簡易ホームページ等にリンクされた動画像ファイルのデータを受信する場合、アンテナ２１を介して基地局から受信した受信信号を変復調回路部６４でスペクトラム逆拡散処理し、その結果得られる多重化データを多重分離部６２に送出する。
【００６１】
多重分離部６２は、多重化データを分離することにより符号化画像データと音声データとに分け、同期バス６０を介して当該符号化画像データを画像デコーダ６１に供給すると共に、当該音声データを音声コーデック６７に供給する。
【００６２】
画像デコーダ６１は、符号化画像データをＭＰＥＧ２やＭＰＥＧ４等の所定の符号化方式に対応した復号化方式でデコードすることにより、再生動画像データを生成し、これをＬＣＤ制御部４７を介してＬＣＤ２４に供給する。これにより、例えば、簡易ホームページにリンクされた動画像ファイルに含まれる動画データが表示される。
【００６３】
このとき同時に音声コーデック６７は、音声データをアナログ音声信号に変換した後、これをスピーカ２３に供給する。これにより、例えば、簡易ホームページにリンクされた動画像ファイルに含まれる音声データが再生される。
【００６４】
この場合も電子メールの場合と同様にカメラ付デジタル携帯電話機１は、受信した簡易ホームページにリンクされたデータを、ユーザの設定により、記録再生部６３を介して、メモリスティック１５に記録することも可能である。
【００６５】
記憶部４６は、基地局を介して、各種サーバより受信されたカメラ付デジタル携帯電話機１の制御用のプログラム、および画像データ等を、適宜、記憶する。
【００６６】
ブルートゥース通信部４８は、ブルートゥース（商標）を介した通信処理を行う。
【００６７】
傾きセンサ制御部４９は、傾きを検出する傾きセンサとしての水銀スイッチ５０からの情報により、図３に示されるように、撮影時のカメラ付デジタル携帯電話機１の重力方向１００を検出する。傾きセンサ制御部４９は、重力方向１００の検出後、ＣＣＤカメラ２２の撮影方向９０を検出し、撮影して得られた画像の記録をするか否かを判断する。
【００６８】
水銀スイッチ５０は、図４に示されるように構成される。即ち、水銀スイッチ５０においては、球状になっているガラス容器１１０の内部に水銀１１２が封入され、ガラス容器１１０の内壁には多数の電極１１１が植設されている。また、ガラス容器１１０は、その内部の空気が排出され、密封されている。水銀１１２は、常にガラス容器１１０内の重力のかかる方向に移動、位置し、幾つかの電極１１１に触れた状態になる。
【００６９】
撮影時には、傾きセンサ制御部４９が電極１１１に電流を流す。水銀１１２が少なくとも２つ以上の電極１１１に触れているので、その間に電流が流れる。結果として、電流の流れた電極１１１が存在する方向が重力方向１００の方向となり、３次元で重力方向１００を検出することができる。
【００７０】
重力方向１００に対する撮影方向９０は、図５に示されるように検出される。
【００７１】
図５に示されるように、重力方向１００の角度を０度とし、表示部１４の右側面側から見て時計回転方向に角度が計測され、重力方向１００と反対方向の角度が１８０度とされる。また、角度１３５度から２２５度の範囲は撮影禁止角度１２０にされ、撮影角度９１（重力方向１００と撮影方向９０の間の角度）がこの撮影禁止角度１２０の範囲内に存在するとき、撮影した画像は記録することが禁止される。勿論、撮影禁止角度１２０は１３５度から２２５度の範囲に限定されない。
【００７２】
図６は、図２の主制御部４２の撮影処理における機能的構成を示すブロック図である。
【００７３】
入力部１３０は、内部のメモリ（ＬＣＤ制御部４７に内蔵されるＶＲＡＭ）に一時的に記録されている画像データを入力する。即ち、ＬＣＤ制御部４７のＶＲＡＭには、ＣＣＤカメラ２２により撮影された画像の画像データが、カメラインターフェース部４５を介して常に入力され、更新されている。入力部１３０は、画像データを画像認識部１３１に供給する。
【００７４】
画像認識部１３１は、供給された画像データから、例えば、人間の顔の肌の色、髪の毛の色等の色情報、目及び口の位置を認識する。
【００７５】
画像判定部１３２は、画像認識部１３１の認識結果に基づいて、画像が人間の顔を含むか否か判定する。画像が人間の顔を含む場合、画像データを供給し、視線を検知させる。人間の顔が認識され無かった場合、画像判定部１３２は、重力方向検出部１３５に重力方向を判定させる。
【００７６】
視線検知部１３３は、例えば、画像データから、画像認識部１３１で認識された目の位置データを基に、目から白目及び黒目を検知することにより、被写体の視線を検知する。
【００７７】
視線検知時間判定部１３４は、視線検知部１３３による視線の検知結果に基づいて、白目及び黒目の検知時間を判定する。例えば、基準時間を５秒間とし、少なくとも５秒間、黒目の両隣にある白目の割合に一定以上の変化が無ければ、「視線は固定されている」と判定する。そして、視線検知時間判定部１３４は、判定結果を示す信号をフラグ設定部１３８に出力する。
【００７８】
重力方向検出部１３５では、傾きセンサ制御部４９からの情報に基づき、重力方向を検出し、撮影角度検出部１３６に供給する。撮影角度検出部１３６は、供給された情報から、撮影角度を検出し、撮影角度判定部１３７に供給する。
【００７９】
撮影角度判定部１３７は、供給された撮影角度に基づき、例えば、撮影角度が予め設定されている撮影禁止角度内に存在するか否かを判定し、判定結果を示す信号をフラグ設定部１３８に出力する。
【００８０】
フラグ設定部１３８は、視線検知時間判定部１３４により「視線は固定されている」と判定された場合、撮影可能フラグを設定し、撮影角度判定部１３７から、撮影禁止角度であることを表す信号が入力された場合、撮影禁止フラグを設定する。撮影ボタン判定部１３９は、操作入力制御部４３から撮影ボタンがオンされたことを示す信号が入力された場合、フラグ設定部１３８から供給されたフラグ情報をフラグ判定部１４０に供給する。
【００８１】
フラグ判定部１４０は、供給されたフラグ情報を基に、通常の撮影処理をするか否かを判定する。即ち、入力部１３０で取得された画像データを記録するか否かを判定する。記録部１４１は、フラグ判定部１４０の判定結果を基に、画像を撮影（記録）、若しくは撮影（記録）を禁止する。
【００８２】
次に、図７のフローチャートを参照して、撮影処理について説明する。なお、図７の処理は、カメラ付デジタル携帯電話機１のＣＣＤカメラ２２の起動スイッチ（電源スイッチ）がオンとされたとき開始される。
【００８３】
ステップＳ１において、入力部１３０は、内部のメモリ（ＬＣＤ制御部４７に内蔵されるＶＲＡＭ）に一時的に記録されている画像データを入力する。ステップＳ２において、画像認識部１３１は、ステップＳ１で入力部１３０が取得した画像データから人間の顔の画像を認識する。即ち、図８に示されるように、画像認識部１３１は画像データから、エッジを検出することで被写体の輪郭１５２を認識する。次に、輪郭１５２の上方３分の１の範囲の付近に髪の毛１５３があるか否かが判定される。予め設定された、黒色、茶色などの髪の毛と考えられる色の範囲が所定量以上存在するとき、髪の毛があると判定される。
【００８４】
さらに髪の毛１５３の下方に、肌の色として予め設定されている色が所定量以上あるか否かが判定され、有れば、肌１５４であると判定される。次に髪の毛１５３の近傍にほぼ水平に、白色、黒色及び白色の３つ１組で形成される２つの色の塊、即ち、左の目１５５Ｌ、右の目１５５Ｒが認識される。左右の目１５５Ｌ，１５５Ｒを結んだ線のほぼ中点から所定の距離だけ下方に、唇の色として予め設定されている色が有るか否かが判定され、有れば、その大きさが判定される。その大きさが所定の大きさであるとき、それが口１５６であると判定される。
【００８５】
口１５６から所定の距離だけ上方に鼻孔によって出来る影に相当する部分があれば、それが鼻孔１５８Ｌ，１５８Ｒと判定される。
【００８６】
さらに、左右の目１５５Ｌ，１５５Ｒ及び口１５６により形成される逆三角形１５７の中心に鼻孔１５８Ｌ，１５８Ｒが位置する場合、その画像は、人間の顔１５１を含むと認識される。
【００８７】
ステップＳ３において、画像判定部１３２は、ステップＳ２の認識処理で、画像認識部１３１により、人間の顔の画像が認識されたか否かを判定する。ステップＳ３において、人間の顔の画像が認識されたと判定された場合、ステップＳ４において、視線検知部１３３は、目１５５の視線を検知する。即ち、画像認識部１３１が白色、黒色、白色の３つ１組で形成される２つの色の塊を認識したことで、図９に示されるように、例えば右の目１５５Ｒ（左の目１５５Ｌでもよい）において、黒目１７２の左側に位置する白目１７１Ｌと右側に位置する白目１７１Ｒの大きさの比の時間的な変化量が演算される。
【００８８】
ステップＳ５において、視線検知時間判定部１３４は、予め設定されている時間以上視線が固定されていたか否かを判定する。即ち、数秒間以上（例えば、５秒間以上）の間、左側の白目１７１Ｌと右側の白目１７１Ｒの大きさ割合が、殆ど変わらなければ視線が固定されていると判定される。視線が固定されていると判定された場合、被写体が撮影に同意しているものと想定される（被写体がポーズをとっているものと想定される）。
【００８９】
なお、視線の検出には、例えば、特開２００３−５２６３５号公報の方法を適用することができる。
【００９０】
視線が、例えば５秒間以上固定されている場合、ステップＳ６において、フラグ設定部１３８は、撮影可能フラグを設定する。
【００９１】
ステップＳ１１において、撮影ボタン判定部１３９は、ステップＳ１１で、操作キー２６を構成する撮影ボタンがオンされたか否かを判定する。オンされていないと判定された場合、ステップＳ１に戻り、ステップＳ１以降の処理が繰り返される。
【００９２】
撮影ボタンがオンされたと判定された場合、ステップＳ１２において、フラグ判定部１４０は、フラグが撮影可能に設定されているか否かを判定する。撮影可能フラグに設定されている場合、ステップＳ１３に進み、記録部１４１は記録処理を行う。即ち、記録部１４１は、ステップＳ１で入力部１３０が取得した画像データを、画像エンコーダ４４で、例えばＭＰＥＧ（Ｍｏｖｉｎｇ  Ｐｉｃｔｕｒｅ  Ｅｘｐｅｒｔｓ  Ｇｒｏｕｐ）２やＭＰＥＧ４等の所定の符号化方式によって圧縮符号化することにより符号化画像データに変換し、記憶部４６に記録する。また、必要に応じて画像データを、画像エンコーダ４４及び記録再生部６３を介して、メモリスティック１５に記録することも可能である。
【００９３】
一方、ステップＳ３において、人間の顔の画像が認識されなかったと判定された場合（盗撮のおそれがある場合）、ステップＳ７において、重力方向検出部１３５は、重力方向１００を検出する。具体的には、傾きセンサ制御部４９は水銀スイッチ５０における水銀１１２の位置に基づいて重力方向１００を検出する。
【００９４】
次に、ステップＳ８において、撮影角度検出部１３６は、ＣＣＤカメラ２２の撮影角度９１を検出する。即ち、ＣＣＤカメラ２２の撮影方向９０と重力方向１００から撮影角度９１（図５）を検出する。ステップＳ９において、撮影角度判定部１３７は、図５に示されるように、撮影角度９１が撮影禁止角度１２０内（重力方向１００を基準にして、１３５度から２２５度の範囲内）に存在するか否かを判定する。撮影角度９１が撮影禁止角度１２０内に存在しない場合（盗撮のおそれが少ないと考えられる場合）、処理はステップＳ６に進み、撮影可能フラグが設定され、それ以降は上記のステップＳ１１乃至ステップＳ１３の処理が実行される。
【００９５】
さらに、ステップＳ９において、撮影角度９１が撮影禁止角度１２０内に存在すると判定された場合、例えば、下からの不自然な角度からの撮影が行われようとしていることが想定される（被写体が盗撮されようとしていることが想定される）。そこで、この場合、ステップＳ１０において、フラグ設定部１３８は、撮影禁止フラグを設定する。
【００９６】
その後、ステップＳ１１において、撮影ボタンがオンされたか否かが判定され、オンされていないと判定された場合、ステップＳ１に戻り、ステップＳ１以降の処理が繰り返される。撮影ボタンがオンされていると判定された場合、ステップＳ１２において、フラグ判定部１４０は、フラグが撮影可能に設定されているか否かを判定する。フラグが撮影禁止フラグに設定されている場合、ステップＳ１４に進み、記録部１４１は、ＬＣＤ制御部４７を制御して、ＬＣＤ２４に“撮影できません”のメッセージを表示して終了させる。即ち、この場合、撮影（記録）は禁止される。
【００９７】
また、ステップＳ５において、視線が固定されていないと判定された場合、即ち、数秒間以内（例えば、４秒間以内）の間に、左側の白目１７１Ｌと右側の白目１７１Ｒの大きさの割合に、大きな変化がある場合、被写体が撮影に同意していないことが想定される（被写体が嫌がるのを、無理に撮影しようとしていることが想定される）。そこでこの場合にも、ステップＳ１０で撮影禁止フラグが設定され、ステップＳ１１乃至ステップＳ１３の処理で、撮影（記録）が禁止される。
【００９８】
このように、撮影された画像に基づいて、画像の記録を禁止するようにしたので、被写体に負荷をかけずに簡単かつ確実に盗撮を防止できる。また、撮影角度を限定したことによっても、同様の作用効果が実現される。従って、人間の顔であるか否かにかかわらず、所定の角度での撮影（記録）を常に禁止するようにしてもよい。
【００９９】
上述した一連の処理を実行する盗撮防止プログラムをカメラ付デジタル携帯電話機１にインストールするためのプログラム格納媒体としては、例えばフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ  ）等のパッケージメディアのみならず、プログラムが一時的もしくは永続的に格納される半導体メモリや磁気ディスク等を用いることが出来る。
【０１００】
また、これらプログラム格納媒体にプログラムを格納する手段としては、ローカルエリアネットワークやインターネット、デジタル衛生放送等の有線及び無線通信媒体を利用しても良く、ルータやモデム等の各種通信インターフェースを介して格納するようにしても良い。
【０１０１】
上記の実施の形態においては、本発明をカメラ付デジタル携帯電話機１に適用した場合について述べたが、撮影手段を備えているＰＤＡ（Ｐｅｒｓｏｎａｌ  Ｄｉｇｉｔａｌ  Ａｓｓｉｓｔａｎｔｓ）、その他の種々の携帯情報処理装置に適用するようにしても良い。
【０１０２】
【発明の効果】
以上のように、本発明によれば、被写体を撮影することができる。特に、被写体の同意を得ない撮影（盗撮）を抑制することができる。
【図面の簡単な説明】
【図１】本発明を適用したカメラ付デジタル携帯電話機の外観の構成例を示す斜視図である。
【図２】図１のカメラ付デジタル携帯電話機の内部の構成例を示すブロック図である。
【図３】図１のカメラ付デジタル携帯電話機の撮影角度の方向を説明する側面図である。
【図４】水銀スイッチの内部の原理的構成例を示す図である。
【図５】図３のカメラ部の外観を拡大して示す図である。
【図６】図２の主制御部の撮影処理における機能的構成を示すブロック図である。
【図７】撮影処理を説明するフローチャートである。
【図８】人間の顔の検出の原理を説明する図である。
【図９】視線の固定の検知の原理を説明する図である。
【符号の説明】
１  カメラ付デジタル携帯電話機，  １１  カメラ部，  ２２  ＣＣＤカメラ，４９  傾きセンサ制御部，  ５０  水銀スイッチ，  ９０  撮影方向，  ９１撮影角度，  １００  重力方向，  １１０  ガラス容器，  １１１  電極，  １１２  水銀，  １２０  撮影禁止角度，  １３０  入力部，  １３１  画像認識部，  １３２  画像判定部，  １３３  視線検知部，  １３４  視線検知時間判定部，  １３５  重力方向検出部，  １３６  撮影角度検出部，  １３７  撮影角度判定部，  １５１  人間の顔，  １５２  輪郭，  １５３  髪の毛，  １５４  肌，  １５５  目，  １５５Ｒ  右の目，  １５５Ｌ  左の目，  １５６口，  １５７  逆三角形，  １５８Ｌ，１５８Ｒ  鼻孔，  １７１Ｌ  左側の白目，  １７１Ｒ  右側の白目，  １７２  黒目
【図１】
2004336508.tif 000003
【図２】
2004336508.tif 000004
【図３】
2004336508.tif 000005
【図４】
2004336508.tif 000006
【図５】
2004336508.tif 000007
【図６】
2004336508.tif 000008
【図７】
2004336508.tif 000009
【図８】
2004336508.tif 000010
【図９】
2004336508.tif 000011